(57)【要約】【課題】入浴等に際しての使い勝手に優れ、しかも建物の構造、又は室内の床面積に関わらず、安価に設置できる床排水装置、及び床排水室を提供する。【解決手段】室内の床面４０に、床排水装置１を埋設することにより床排水室２を構成する。床排水装置１は、開口部３が形成された床部材４と、開口部３を水平姿勢で塞ぐ透水床板５と、開口部３の下方に配置された集水部材６と、集水部材６に接続された排水管７とを備える。床排水装置１によれば、被介護者自身又は介護者が、透水床板５の上で入浴等を行える。また、被介護者の入浴等に使用される生活用水は、透水床板５の隙間を通過して集水部材６へ流下した後、排水管７を通して排水される。【選択図】図１
2007092512.tif 000002
【特許請求の範囲】
【請求項１】
生活用水の使用ができる領域を室内に確保する床排水装置であって、前記領域に相当する広さの開口部が形成された床部材と、前記開口部を塞ぎ前記生活用水を前記床部材の下方へ流下させる透水床板と、前記開口部の下方に配置され前記生活用水を集水する集水部材と、前記集水部材に接続され前記生活用水を排水する排水管とを備えることを特徴とする床排水装置。
【請求項２】
前記開口部を開閉するための蓋体を備えることを特徴とする請求項１に記載の床排水装置。
【請求項３】
前記床部材に対して前記透水床板を昇降させる昇降手段を備え、前記蓋体を前記透水床板に重ね合せた状態で、前記昇降手段が、前記透水床板を、前記床部材の高さから前記蓋体の厚み寸法分下降させ、前記蓋体が前記透水床板から取去られた状態で、前記昇降手段が、前記透水床板を前記床部材に一致する高さに上昇させることを特徴とする請求項２に記載の床排水装置。
【請求項４】
生活用水の使用ができる領域を室内に確保する床排水装置であって、
前記領域に相当する広さを有し前記生活用水を集水する集水底材と、該集水底材を支持する移動台車と、前記室内に設置され排水口を形成された床部材と、該床部材の下方に配置され前記床部材の排水口に接続された排水管とを備え、
前記移動台車が、前記集水底材を前記床部材の排水口の上方に位置する状態で、前記集水底材に集水される前記生活用水が、前記床部材の前記排水口へ流下し、前記排水口から前記排水管へ排水されることを特徴とする床排水装置。
【請求項５】
前記移動台車が、前記集水底材を昇降させる底材昇降手段を備えることを特徴とする請求項４に記載の床排水装置。
【請求項６】
床下を開放する開口部を室内の床面に形成し、前記室内で使用される生活用水を前記床下に流下させる透水床板で、前記開口部を塞ぎ、前記床下の透水床板の下方に、前記生活用水を集水する集水部材を配置し、前記集水部材に、前記生活用水を前記床下から排水する排水管を接続したことを特徴とする床排水室。
【発明の詳細な説明】
【技術分野】
【０００１】
本発明は、建物の用途や構造を問わず、建物の室内で生活用水の使用、及びその排水を行える床排水装置、及び床排水室に関する。
【背景技術】
【０００２】
例えば、高齢者、身体障害者、又は病人等の被介護者が主に生活する室内には、その寝床が置かれることが多い。そして、手洗、洗面、洗髪、行水、又は入浴に係る被介護者自身の動作、又はその介護者による作業（以下、これらを統括して「入浴等」と記す。）を行う場合は、洗面所、浴室、流し台、又はトイレ等のような生活用水の使用ができる設備のある場所まで、介護者が被介護者を搬送しなければならない。
【０００３】
下記の特許文献１には、室内の床下に、浴槽を収納できる空間に加え、浴槽の傍らに洗い場となる空間を確保した介護用住宅が開示されている。このように、被介護者又は被介護者と共に介護者が降りられる程の空間を床下に確保できるのは、床を高くした構造の住宅等に限られる。高層の集合住宅のように、床面と床スラブとの間が１５０から３００ｍｍ程度しかない場合には、上記の空間を確保することはできない。また、当該住宅は、床下の広い範囲の防水処理、排水溝の設置、又は浴槽の据え付け等の大掛かりで高額な工事を要する。また、被介護者を床下の空間に進入させるには、実際のところリフト等の付帯設備が不可欠である。
【０００４】
下記の特許文献２には、排水口を有するシャワー水回収ユニット（槽）を備えた台車が開示されている。この他、室内を移動可能なユニット型洗面台がある。例えば、蛇口付きの洗面台と、蛇口に供給する生活用水を貯留するタンクと、洗面台から排水される使用済みの生活用水を回収する排水タンクとを、１台の台車に載せた装置がある。しかしながら、当該装置は非常に高価であり、入浴ができるような大型のものは一層高価である。また、室内が手狭であれば、当該装置を使用しないときに、それを収納して置く場所がないという難点がある。
【０００５】
下記の特許文献３には、一室に設けた洗面台と洗濯機とに、それぞれ水道管と排水管とを接続した水廻り設備室が開示されている。このような生活用水の使用ができる設備を一室に設けたことで、その設備のある場所まで、介護者が被介護者を寝床から搬送する距離を短縮することはできる。しかしながら、被介護者が専ら使用するための洗面台や洗濯機を設置することは、建物の改装に伴なう経済的負担が大きくなり、また被介護者の寝室に洗面台等を設置すれば、その室内が手狭になるという問題がある。
【０００６】
近年、被介護者を介護施設や病院等に搬送するための時間や労力、費用、それに伴なう被介護者の精神的負担、及び被介護者の著しい増大による公的保険財政の逼迫が問題化している。そこで、被介護者が日常生活の支援を自宅に居ながら受けられ、しかも被介護者の家族による介護を原則とした在宅介護が重要視されている。このような在宅介護には、既存の住宅を大掛かりに改装することなく最小限の費用で介護に適した住環境を実現することが不可欠である。この点で、既に述べた特許文献に開示の技術は、在宅介護の実情に馴染むものではない。
【０００７】
在宅介護の一例として、被介護者を自宅で入浴させることについて述べる。即ち、入浴時に被介護者が浴槽内で安楽な姿勢を保てるように、介護者は被介護者の背中や頭部に手を添えることがある。この他、被介護者の洗髪や全身を洗い流す作業は、介護者が浴槽の周囲を廻りながら行えば手際が良く、入浴後に、被介護者を浴槽から持上げる作業は、２人の介護者がそれぞれ浴槽の両側から被介護者の胴部を支えて行うのが望ましい。
【０００８】
しかしながら、被介護者の寝室として使われることの多い４畳半〜６畳程度の狭い部屋に、浴槽を設置することは現実的ではない。このため、介護者は、被介護者を寝室から浴室まで搬送し、被介護者を浴室で入浴させた後、再び被介護者を寝室へ搬送することを余儀なくされる。このような雑作は、入浴に費やす時間と介護者の労力を不要に増大させ、更には介護者と被介護者の双方に過度の負担を強いることになる。或いは、寝室の広さに浴槽を設置する余裕があるとしても、寝室にデッドスペースができるのを避けるため、浴槽を壁等に寄せて配置するのが常套である。このため、介護者が浴槽の周囲で上記の作業を行うに足りるスペースを確保することは困難である。以上に述べた住宅事情が在宅介護の支障となっている。
【特許文献１】特開平１１−１９０１３６号公報
【特許文献２】特開２００１−２９９８３５号公報
【特許文献３】特開２００２−１１５２８２号公報
【発明の開示】
【発明が解決しようとする課題】
【０００９】
本発明は、上記の実情に鑑みて成されたものであり、入浴等に際しての使い勝手に優れ、しかも建物の構造、又は室内の床面積に関わらず、安価に設置できる床排水装置、及び床排水室を提供することを目的とする。
【課題を解決するための手段】
【００１０】
本発明は、生活用水の使用ができる領域を室内に確保する床排水装置に係るものであって、前記領域に相当する広さの開口部が形成された床部材と、前記開口部を塞ぎ前記生活用水を前記床部材の下方へ流下させる透水床板と、前記開口部の下方に配置され前記生活用水を集水する集水部材と、前記集水部材に接続され前記生活用水を排水する排水管とを備えることを特徴とする。本発明に係る床排水装置は、前記開口部を開閉するための蓋体を備えても良い。
【００１１】
更に、本発明に係る床排水装置は、前記床部材に対して前記透水床板を昇降させる昇降手段を備え、前記蓋体を前記透水床板に重ね合せた状態で、前記昇降手段が、前記透水床板を、前記床部材の高さから前記蓋体の厚み寸法分下降させ、前記蓋体が前記透水床板から取去られた状態で、前記昇降手段が、前記透水床板を前記床部材に一致する高さに上昇させることを特徴とする。
【００１２】
本発明は、生活用水の使用ができる領域を室内に確保する床排水装置に係るものであって、前記領域に相当する広さを有し前記生活用水を集水する集水底材と、該集水底材を支持する移動台車と、前記室内に設置され排水口を形成された床部材と、該床部材の下方に配置され前記床部材の排水口に接続された排水管とを備え、前記移動台車が、前記集水底材を前記床部材の排水口の上方に位置する状態で、前記集水底材に集水される前記生活用水が、前記床部材の前記排水口へ流下し、前記排水口から前記排水管へ排水されることを特徴とする。前記移動台車が、前記集水底材を昇降させる底材昇降手段を備えても良い。
【００１３】
また、本発明に係る床排水室は、床下を開放する開口部を室内の床面に形成し、前記室内で使用される生活用水を前記床下に流下させる透水床板で、前記開口部を塞ぎ、前記床下の透水床板の下方に、前記生活用水を集水する集水部材を配置し、前記集水部材に、前記生活用水を前記床下から排水する排水管を接続したことを特徴とする。
【発明の効果】
【００１４】
本発明に係る床排水装置によれば、例えば高齢者や身体障害者のような被介護者が主に生活する室内の床面に、被介護者又はその介護者による生活用水の使用ができる領域を、確保することができる。
【００１５】
即ち、生活用水の使用ができる領域とは、入浴等を行うのに過不足ない広さの床面積を意味する。このような領域に相当する広さの開口部が形成された床部材を、被介護者が主に生活する室内に設け、床部材の開口部を透水床板で塞げば、被介護者の入浴等は、透水床板の上で行うことができる。しかも、透水床板の上に、生活用水を溜める洗面器や浴槽を載せることもできる。
【００１６】
また、入浴等の最中に使用される生活用水は、透水床板を透過して透水床板の下方へ流下するので、上記の領域から生活用水が溢れ出すことはなく、生活用水によって室内を濡らすこともない。一方、透水床板の下方へ流下した生活用水は、透水床板の下方に配置された集水部材により集水され、集水部材に接続され排水管を通って下水道等へ排水されるので、入浴等を終えたときに、使用済みの生活用水を処分する手間が省ける。また、介護者は、使用済みの生活用水、又は被介護者から滴下した生活用水を洗面器等で回収する雑作からも解放される。
【００１７】
従って、本発明に係る床排水装置によれば、入浴等を行う度に、被介護者自身が洗面所又は浴室等に移動、又は介護者が被介護者を搬送する必要が無くなり、被介護者が主に生活する室内で、被介護者の入浴等を手際良く行える。これにより、被介護者の身体的な負担を減らし、また介護者の手間を大幅に軽減することができる。また、建物を大掛かりに改装しなくても、当該床排水装置は簡単に設置できるという利点がある。
【００１８】
更に、床部材の開口部を蓋体で開閉できるようにした場合、入浴等を行うときに開口部を開き、当該床排水装置を使用しないときには、開口部を蓋体で閉じておけば、使用済みの生活用水が集水部材又は排水管に僅かに残留していても、その臭いや湿気を遮断し、室内の衛生を保つことができる。しかも、入浴等を終えところで、生活用水で濡れた透水床板を、蓋体によって直ちに覆い隠すことができるので、透水床板を乾燥させるに至らなくても、簡単に後片付けすることができる。
【００１９】
本発明に係る床排水装置によれば、蓋体を透水床板に重ね合せた状態で、昇降手段が、透水床板を蓋体の厚み寸法分下降させることにより、蓋体と床部材とを面一にすることができる。また、蓋体が透水床板から取去られた状態で、昇降手段が、透水床板を床部材に一致する高さまで上昇させることにより、透水床板と床部材とを面一にすることができる。従って、蓋体と透水床板との段差、又は透水床板と床部材との段差を解消できるので、床面を平滑化するといった所謂バリアフリーの要請も充分に満足させることができる。
【００２０】
また、本発明に係る床排水装置によれば、例えば浴槽、洗面台、流し台、シャワー台、洗面器、バケツ、又は便器等の中から選択することのできる１又は２以上の要素（以下で単に「浴槽」と記す。）を集水底材の上に載せた場合、この浴槽を介護者は移動台車と共に室内で自在に移動させることができる。このため、介護者は被介護者の寝室に移動台車と共に浴槽を搬入するだけで、直ちに入浴等の準備をすることができ、入浴等が終わると、介護者は移動台車と共に浴槽を寝室から搬出するだけで後片付けができる。従って、入浴等を行わないときは、被介護者の寝室に浴槽を置かなくて済むので、被介護者の寝室の広さが４畳半に満たなくても、このような寝室が浴槽によって手狭になるという不都合がない。また、入浴等を行う毎に、介護者が被介護者を浴室と寝室との間で搬送する雑作が不要となるので、介護者及び被介護者の双方の負担を軽減することができる。
【００２１】
或いは、入浴等を行わないときに、移動台車と共に浴槽を寝室の壁等に寄せて保管すれば、寝室の中央を広く空け同寝室の全体を有効利用することができる。介護者は、入浴等を行うときだけ、壁等に寄せて置かれた浴槽を、寝室の中央へ向けて移動台車と共に移動させれば、直ちに入浴等の準備をすることができる。入浴等が終わると、介護者は移動台車と共に浴槽を壁等に寄せるだけで後片付けができる。上記の入浴等の準備とは、室内を走行できる移動台車が、集水底材を床部材の排水口の上方に位置する状態で停車することを意味する。この状態で、集水底材に集水された生活用水が、床部材の排水口へ流下し排水管を通って下水道等へ排水されるので、入浴等を終えたときに、使用済みの生活用水を処分する手間が省ける。また、介護者は、使用済みの生活用水、又は被介護者から滴下した生活用水を洗面器等で回収する雑作からも解放される。
【００２２】
また、排水口を室内の何処に配置するかは、特に限定しなくて良いが、例えば入浴の最中に介護者が被介護者の背中や頭部に手を添える場合、介護者が浴槽の周囲を廻りながら被介護者の洗髪や全身を洗い流す場合、又は２人の介護者がそれぞれ浴槽の両側から被介護者を持上げる場合には、これらの作業を介護者が浴槽の全周から行えることが望ましい。そのため、排水口を寝室の中央寄りに配置しておけば、入浴等の準備ができた時点で、浴槽を寝室の壁等から離して、浴槽の周囲に介護者がその身体を自由に動かせるスペースを確保することができる。
【００２３】
また、被介護者が自力で、又は介護者の手を借りながら浴槽に進入するとき、その片足を先ずは浴槽に踏み入れるのが普通である。このとき、底材昇降手段を動作させることにより集水底材と共に浴槽を下降させれば、被介護者が浴槽の縁を跨ぐ動作を容易にすることができる。反対に、底材昇降手段により集水底材を上昇させれば、介護者は、入浴等に付帯するあらゆる作業を行うときに、極端に腰を屈めなくて済むので、介護者の負担を一層軽くすることができる。
【００２４】
また、本発明に係る床排水室は、あらゆる建物に適用することができる。即ち、室内の床面を形成する床板、又はパネル等に開口部を形成することによって床下を開放するだけで、床下の空間を、上記の床排水装置を収納する空間として活用することができる。そして、当該床排水室には、床面から突出する要素が一切無いので、バリアフリーの要請も充分に満足させることができる。この他の効果は、既述の床排水装置と同様である。
【発明を実施するための最良の形態】
【００２５】
図１は、被介護者が主に生活する室内の床面４０に、床排水装置１を埋設することにより構築された床排水室２を例示している。床排水装置１は、図２に示すように、開口部３が形成された床部材４と、開口部３を水平姿勢で塞ぐ透水床板５と、開口部３の下方に配置された集水部材６と、集水部材６に接続された排水管７とを備える。詳しくは、以下の実施例で述べる。また、集水部材６は、その上面が開放した箱形であり、集水部材６の上面と開口部３とは図中で一致するので、これらを同一視して以下の説明を進める。
【実施例１】
【００２６】
床排水装置１を建物に設置する場合、先ず床下３０を開放する開口部３を室内の床面４０に形成する。この工程は、床部材４が既存の床板であれば、その一部を切除して行っても良いが、床部材４が複数の床パネルを接合して成る場合は、複数の床パネルのうち開口部３の箇所に対応する床パネルを取り除くだけでも良い。次に、開口部３に集水部材６を嵌め込んだ状態にして集水部材６を床下３０に没入する。集水部材６の上面に、透水床板５を水平姿勢で重ね合せると、透水床板５により開口部３を塞ぐことができる。
【００２７】
このように、床排水装置１は、建物の大掛かりな改装工事を行わなくても、簡単に設置することができる。床排水室２には、被介護者の寝床２０が置かれることが多い。床下３０は、床部材４の下方の空間であり、床部材４の例として、建物の床面４０を形成する床板、又は床パネル等が挙げられる。図３は、床スラブ４１に立ち上げた複数本の束材４２を用いて床パネル４３を支持することにより、床スラブ４１と床パネル４３との間に、床下３０となる空間を確保した例を示している。
【００２８】
図４（ａ），（ｂ）に示すように、開口部３を平面視すると、その一辺の長さが１５００から３０００ｍｍ程度の正方形又は長方形である。開口部３、透水床板５、又は集水部材６を平面視した形状は、四角形以外の多角形、又は円形であっても良い。開口部３の広さは、例えば大人が入浴できる程度の浴槽９よりも更に広いことが望ましい。被介護者の入浴等は、開口部３で概ね区画された領域、言い換えると透水床板５の上で行われる。また、透水床板５に蓋体８を重ね合せても良い。例えば、洗面器１０だけを透水床板５の上で取扱う場合には、蓋体８として、透水床板５の上面の約半分を覆うことのできる板材を適用する。そして、入浴等を行わない場合は、このような蓋体８を２枚準備し、２枚の蓋体８で透水床板５の全域を覆うことにより、開口部３を完全に閉鎖することができる。
【００２９】
また、水道水に代表される生活用水を上記の領域に導入するには、生活用水を溜めた洗面器１０又はバケツ等を、透水床板５の上まで搬入しても良いが、水道管を床排水装置１の付近に配管できるのであれば、この水道管の途中、又は水道管の終端に設けた注水口又は蛇口等に、図１に示すようなホース１１を接続しても良い。或いは、これらの注水口又は蛇口等を上記の領域内に配置しても良い。この場合、介護者が生活用水を洗面器１０に溜める等する手間を省略し、透水床板５まで生活用水を直に供給できる。
【００３０】
また、ホース１１の先端に止水栓１２を設け、ホース１１の後端、及び上記の注水口の双方に、互いに着脱自在なカップリング（管継手）を各々取付けても良い。この場合、注水口に取付けられるカップリングの一方が、他方のカップリングから切断されるのと同時に閉栓することにより、注水口から生活用水が漏れないことが望ましい。また、ホース１１は図示のものより短くても良い。
【００３１】
透水床板５は、図５に示すように、互いに隙間を隔てて平行に並べられた複数の水平角材５０を、これらに直交する方向に延びる横架材５１によって結束したものである。透水床板５の上面は、床面４０に対して面一となる平坦面であり、透水床板５には、生活用水を溜めた浴槽９や洗面器１０を安定した状態で載せられる。この他、透水床板５として、エキスパンデッドメタルのような金網、又はパンチングメタルのような有孔鋼板を代用しても良い。
【００３２】
図６は、床面４０及び透水床板５の上を自由に走行できる移動台車９０に浴槽９を載せたものである。上記の水平角材５０同士の隙間は、生活用水が良好に通り抜けできる広さであるが、移動台車９０の車輪９１が落ち込まないように、車輪９１の幅よりも狭く設定されている。この他、移動台車９０に洗面台又は流し台のような設備を載せておけば、これらの設備を使用するときにだけ透水床板５の上に搬入し、使用しないときには、透水床板５の上から他所へ搬出して片付けることができる。また、浴槽９を空の状態で透水床板５の上に搬入した後、この浴槽９に、上記のホース１１を利用して生活用水を溜めても良い。浴槽９には、予めホース１１及び止水栓１２を装備しておいても良い。
【００３３】
図１，２に示すように、集水部材６は、その周側部６０と底面部６１とが図示のような一体であっても良いが、集水部材６を木材等から形成する場合には、開口部３の口縁に設けられる框を周側部６０として利用し、この框の下側を面材で密閉することにより、集水部材６の底面を形成しても良い。更に、集水部材６の内側には防水処理を施しても良い。符号６２は、周側部６０の内面に設けられた掛止桟であり、透水床板５の両端の縁部、又は全周の縁部を支持するものである。
【００３４】
床面４０から集水部材６の底面までの深さは、１００から１５０ｍｍ程度であることが望ましい。この寸法は、集合住宅のように床下３０の狭い建物にも集水部材６の取付けができ、且つ上記の浴槽９から一度に溢れ出た生活用水を受け止められる容量を確保するために設定されている。排水管７は、その上流端を周側部６０又は底面部６１の内側に開放し、図に表れていない下流端を建物の下水管に接続している。
【００３５】
以上に述べた床排水装置１によれば、床部材４の開口部３を透水床板５が水平姿勢で塞ぐので、被介護者自身又は介護者が、透水床板５の上で入浴等を行うことができる。そして、被介護者の入浴等に使用される生活用水は、透水床板５の隙間を通過して透水床板５の下方へ流下するので、生活用水が透水床板５の周囲へ溢れ出すことはなく、生活用水によって室内を濡らすこともない。特に、図１に符号２１で指したカーテンレールに、透水床板５の周りを囲繞する防水カーテンを吊り下げれば、生活用水が透水床板５の周りに飛散するのを確実に予防できる。
【００３６】
一方、透水床板５の下方へ流下した生活用水は、透水床板５の真下に配置された集水部材６により集水され、更に排水管７を通って下水道等へ排水されるので、入浴等が終たときに、介護者によって使用済みの生活用水を処分するという手間が省ける。また、介護者は、被介護者が使用した生活用水、又は被被介護者から滴下した生活用水を洗面器１０等で回収する雑作から解放される。
【００３７】
また、図１に示すように、床排水装置１を寝床２０の近傍に設置したことで、入浴等を行う度に、被介護者自身が洗面所又は浴室等に移動、又は介護者が被介護者を搬送する必要が無くなり、しかも被介護者が主に生活する室内で、被介護者の入浴等を手際良く行うことができる。これにより、被介護者の身体的な負担を減らし、また介護者の手間を大幅に軽減することができる。
【００３８】
更に、床排水装置１は、床部材４の開口部３を蓋体８によって開閉できるので、入浴等を行うときに開口部３を開き、床排水装置１を使用しないときに、開口部３を蓋体８で閉じておけば、使用済みの生活用水が集水部材６又は排水管７に僅かに残留しても、この臭いや湿気を遮断し、室内の衛生を保つことができる。しかも、入浴等を終えたところで、生活用水で濡れた透水床板５を、蓋体８によって直ちに覆い隠すことができるので、透水床板５を乾燥させるに至らなくても、簡単に後片付けすることができる。
【００３９】
尚、以上の説明では蓋体８の厚みは考慮していない。例えば、蓋体８として、その厚みが１ｍｍ以下の薄いシートや鋼板等を適用するのであれば、透水床板５に蓋体８を重ね合せても、床面４０と蓋体８との間に、室内のバリアフリー化の支障となるような段差が生じることはない。
【実施例２】
【００４０】
図７（ａ）は、蓋体８として、その厚み寸法が１０ｍｍ程度の板材を適用した場合、床面４０と蓋体８との間には、蓋体８の厚み分の段差が生じることを示している。或いは、図７（ｂ）に示すように、床面４０から蓋体８へ向って上昇傾斜する形状の踏縁材４４を、床面４０と集水部材６の周側部６０との間の入隅部に取付けることにより、上記の段差が緩やかになるようにしても良い。この他の構成は実施例１と同様である。
【実施例３】
【００４１】
図８（ａ），（ｂ）は、本実施例に係る床排水装置の要部を示している。床排水装置１３は、既に図７（ａ），（ｂ）で例示の形態よりも厳格なバリアフリー化を目指すものであり、床部材４に対して透水床板５を昇降させる昇降手段１４を備える。図中には昇降手段１４を１つだけ表しているが、透水床板５又は集水部材６のそれぞれの両端には、昇降手段１４が少なくとも１つずつ設けられる。総ての昇降手段１４に係る以下の動作は同期して成される。この他の構成は実施例１と同様である。
【００４２】
昇降手段１４は、透水床板５の下面に、下端を滑らかな球面状にした従動片１５を垂下する一方、個々の従動片１５の下端が滑り接触できる前傾案内面１６、及び従動片１５の下端を受け止める凹形の座部１７を有する楔形スライダ１８を、ガイド部材１９を介して集水部材６の周側部６０に取付けたものである。ガイド部材１９は、楔形スライダ１８を水平方向に滑動自在に案内できる。また、楔形スライダ１８を滑動させる手段は特に限定されないが、例えば油圧シリンダ、電動機、又は床面４０の上から操作できるハンドル等を楔形スライダ１８に接続しても良い。
【００４３】
図８（ａ）に表した楔形スライダ１８は、これを同図（ｂ）に表した位置よりも集水部材６の外方（図中右）へ後退させている。そして、透水床板５の上面が、床部材４の床面４０の高さよりも、蓋体８の厚みに相当する寸法分低い位置にある。例えば、蓋体８の厚みが１０ｍｍであるとするならば、透水床板５の全体が床面４０の高さよりも１０ｍｍ低い位置にある。従って、透水床板５に重ね合わせた蓋体８の上面が、床面４０に対して面一となる。
【００４４】
次に、楔形スライダ１８を集水部材６の内方（図中左）へ前進させると、透水床板５の従動片１５が前傾案内面１６の傾斜に沿って上昇し、更に図８（ｂ）に示すように、従動片１５が座部１７に受け止められる。従って、透水床板５の全体は、水平姿勢を保ったまま上昇した後で静止する。この状態で、透水床板５は床部材４に一致する高さまで上昇しているので、図示の通り透水床板５の上面と床面４０とが面一になり、透水床板５と床部材４との段差が解消される。最後に、蓋体８を透水床板５から取去れば、透水床板５の上で入浴等を行う準備を整えることができる。
【００４５】
反対に、図８（ｂ）に表した楔形スライダ１８を、集水部材６の外方へ後退させれば、透水床板５の従動片１５が座部１７から外れ、更に前傾案内面１６の傾斜に沿って降下するので、透水床板５の全体が水平姿勢を保ったまま、蓋体８の厚み寸法分下降する。これにより、透水床板５は図８（ａ）に表した位置に復帰する。
【００４６】
尚、昇降手段１４は、透水床板５を昇降できるジャッキ等であれば何でも良く、作動ロッドを上下方向に進退動させる油圧シリンダを適用し、この作動ロッドを透水床板５に接合しても良い。また、図９に示すように、集水部材６の内部を２つの槽に仕切っても良い。この場合、一方の槽を上記の通り排水管７を通して下水管に接続しても良いが、他方の槽にトイレ用の排水を受け止めさせ、図に表れていない別の排水管を通して排水しても良い。この別の排水管は、便器等に直結できるようにしても良い。
【実施例４】
【００４７】
本実施例では、上記の各実施例と共通の要素について、同じ符号又は同じ呼称を用いるものとし、それぞれの図示又は説明は省略する。
【００４８】
図１０に示すように、床排水装置２２は、浴槽９から溢れる生活用水を集水できる集水底材２３と、浴槽９及び集水底材２３を走行自在に支持する移動台車９０と、被介護者の寝室の室内に設置される床部材４と、床部材４の下方に配置され床部材４の排水口２４に接続された排水管７とを備える。
【００４９】
浴槽９は、特に限定されるべき要素ではなく、生活用水を使用できるものであれば、浴槽９に代えて何でも良い。例えば、洗面台、流し台、シャワー台、洗面器、バケツ、又は便器等を、移動台車９０で移動するようにしても良い。また、移動台車９０は、介護者の手押しで室内又は廊下等を走行できるものであれば良い。
【００５０】
床部材４の排水口２４は、実施例１で述べた床排水装置１の開口部３に相当する。従って、床排水装置２２は、集水部材６を構成要素とする点で床排水装置１と同様であるが、図１１に示すように、排水口２４を平面視すると、二辺ｘ１，ｘ２の長さをそれぞれ６００ｍｍとした比較的小さな正方形である。このように排水口２４（集水部材６）を小型化したことで、床排水装置２２の設置に伴なう建物の改装工事を、実施例１に比べて更に簡略化することができる。しかも、排水口２４を小さくした分、蓋体８も小型化し軽量にできるので、介護者が蓋体８の開閉作業を容易に行うことができる。
【００５１】
また、排水口２４の側部に給水区画２５を設けることが望ましい。給水区画２５は蓋体８によって排水口２４と一緒に開閉できる。排水口２４の付近に水道管を配管できるのであれば、この水道管の途中、又は水道管の終端に設けた注水口２５０又は蛇口等を、給水区画２５に配置しても良い。この他、熱湯を供給できる給湯口２５１、又は止水栓を給水区画２５に配置しても良い。また、排水口２４をその開口寸法に合う大きさの透水床板によって塞いでも良い。
【００５２】
図１０に示すように、集水底材２３は、その上面を開放した箱体である。集水部材６の広さは上記の領域に略等しく設定されており、集水底材２３を平面視すると、その一辺の長さが１５００から３０００ｍｍ程度の正方形又は長方形である。排水口２４、又は集水底材２３を平面視した形状は、四角形以外の多角形、又は円形であっても良い。移動台車９０として図６に例示したものを本実施例で適用しても良いが、移動台車９０には、底材昇降手段２６を設けることが望ましい。符号２７は、自在に伸縮又は湾曲できる可撓ホースを指している。可撓ホース２７は、その上端開口を集水底材２３の底面に開放し、下端開口を移動台車９０の下方へ開放している。
【００５３】
底材昇降手段２６は、移動台車９０のフレーム９２に支持されたボールナット２８に、集水底材２３に直立姿勢で接続したねじ棒２９を螺合し、ボールナット２８を手動又は回転機で回転させることにより、ねじ棒２９に従わせて集水底材２３と共に浴槽９を昇降、又は所望の高さに停止させるものである。或いは、油圧シリンダの作動ロッドを集水底材２３に接続し、この作動ロッドの伸縮に従わせて集水底材２３と共に浴槽９を昇降させる油圧ジャッキを、底材昇降手段２６として適用しても良い。
【００５４】
以上に述べた床排水装置２２によれば、介護者は、入浴の準備をするときに、先ず被介護者の寝室に移動台車９０と共に浴槽９を搬入し、移動台車９０を排水口２４に重なる位置まで移動させる。そして、可撓ホース２７の下端開口が排水口２４の真上に位置したところで、介護者は移動台車９０を停車させる。この状態で、被介護者の入浴に伴なって浴槽９から生活用水が溢れ出ると、この生活用水は集水底材２３によって受止められ、可撓ホース２７を通って排水口２４へ流下する。更に、排水口２４に流下した生活用水は、排水管７を通って下水道等へ排水されるので、介護者が使用済みの生活用水を処分する手間が省ける。
【００５５】
また、入浴が終わったところで、介護者は、使用済みの生活用水、又は被介護者から滴下した生活用水を回収する必要がない。このため、介護者は、移動台車９０と共に浴槽９を寝室から搬出するだけで、後片付けを終えることができる。従って、床排水装置２２によれば、入浴を行わないときは、被介護者の寝室に浴槽９を置かなくて済むので、被介護者の寝室の広さが４畳半に満たなくても、このような寝室が浴槽９によって著しく手狭になるという不都合がない。また、入浴を行う毎に、介護者が被介護者を浴室と寝室との間で何度も搬送しなくて済むので、介護者及び被介護者の双方の負担を軽減することができる。
【００５６】
或いは、入浴を行わないときに、移動台車９０と共に浴槽９を寝室の壁等に寄せて保管すれば、寝室の中央を広く空け同寝室の全体を有効利用することができる。介護者は、入浴を行うときだけ、壁等に寄せて置かれた浴槽９を、寝室の中央へ向けて移動台車９０と共に移動させるだけで、直ちに入浴の準備をすることができる。入浴が終わったところで、介護者は移動台車９０と共に浴槽９を寝室の壁等に寄せるだけで、後片付けを終えることができる。
【００５７】
また、排水口２４を床部材４の何処に配置するかは、特に限定しなくて良いが、入浴の最中に介護者が被介護者の背中や頭部に手を添える場合、介護者が浴槽９の周囲を廻りながら被介護者の洗髪や全身を洗い流す場合、又は２人の介護者がそれぞれ浴槽９の両側から被介護者を持上げる場合には、これらの作業を介護者が浴槽９の全周から行えることが望ましい。そのため、排水口２４を寝室の中央寄りに配置しておけば、入浴の準備ができた時点で、浴槽９を寝室の壁等から離して、浴槽９の周囲に介護者がその身体を自由に動かせるスペースを確保することができる。
【００５８】
更に、移動台車９０に底材昇降手段２６を設けた場合、次の効果を得ることができる。即ち、被介護者が自力で、又は介護者の手を借りながら浴槽９に進入するとき、その片足を先ずは浴槽９に踏み入れるのが普通である。このとき、図１２（ａ）に示すように、床面４０から浴槽９の縁までの高さＬを６０ｃｍ以下に設定することが望ましいので、底材昇降手段２６により集水底材２３と共に浴槽９を下降させる。これにより、被介護者が浴槽９の縁を跨ぐ動作を容易にすることができる。また、底材昇降手段２６により集水底材２３を上昇させ、同図（ｂ）に示すように、床面４０から浴槽９の縁までの高さＨを８０〜９０ｃｍ程度に設定すれば、介護者は、入浴に付帯するあらゆる作業を行うときに、極端に腰を屈めなくて済むので、介護者の負担が一層軽くなる。
【００５９】
また、給水区画２５の給湯口２５１又は蛇口等に、図１に示すようなホース１１を接続すれば、浴槽９に溜める生活用水を寝室で直に調達することができる。このため、入浴の準備をするときに被介護者が浴槽９を寝室に搬入する作業は、浴槽９に生活用水を溜めて行う必要がなく、空の浴槽９を寝室に搬入するだけで良い。しかも、介護者が後片付けをするには、浴槽９に溜めた生活用水を排水口２４へ排出した後、浴槽９を空にした状態で寝室から搬出すれば良い。
【００６０】
従って、浴槽９に生活用水を溜めた状態、或いは、予め生活用水を確保するための貯水タンク等を移動台車９０に積載した状態で、移動台車９０と共に浴槽９を移動させる場合に比較して、床排水装置２２は、介護者の負担を大幅に軽減できるという利点がある。また、住宅を新築するに際して、所謂バリアフリーの推進によって室内の段差を無くす傾向にあるが、既存の住宅の大半には敷居等が残っている。このため、浴槽９に生活用水を溜めた状態では、移動台車９０の車輪９１が敷居等を乗り越えられないのが現状である。そこで、床排水装置２２によれば、浴槽９を空にすることで、敷居等の有無に関わり無く、移動台車９０の走行を可能とすることができる。
【００６１】
尚、本発明はその趣旨を逸脱しない範囲で当業者の知識に基づき種々なる改良、修正、又は変形を加えた態様で実施できるものである。例えば、浴槽９の寸法又は形状については、被介護者が脚を延ばせない等の症状に応じて適宜選択できるものとする。また、以上の説明では、１機の床排水装置１，１３，又は２２を１室に設置する例を示したが、２機以上の床排水装置を１室に設置しても良い。
【産業上の利用可能性】
【００６２】
本発明に係る床排水装置、及び床排水室は、例えば一戸建て住宅、集合住宅、介護施設、校舎、又は病棟等のあらゆる建物に適用することができ、新築、既存、又はその用途は問わない。
【図面の簡単な説明】
【００６３】
【図１】本発明の実施例１に係る床排水装置が設置された床排水室の斜視図。
【図２】本発明の実施例１に係る床排水装置の破断斜視図。
【図３】本発明の実施例１に係る床排水装置の他の設置例を示す断面図。
【図４】（ａ）は本発明の実施例１に係る床排水装置の一の使用例を示す平面図、（ｂ）はその他の使用例を示す平面図。
【図５】本発明の実施例１に係る床排水装置に適用した透水床板の破断斜視図。
【図６】本発明の実施例１に係る床排水装置に適用した浴槽の一部断面図。
【図７】（ａ）は本発明の実施例２に係る床排水装置の断面図、（ｂ）はその要部の断面図。
【図８】（ａ）は本発明の実施例３に係る床排水装置に適用した昇降手段の動作の一例を示す断面図、（ｂ）はその動作の他例を示す断面図。
【図９】本発明の実施形態に係る床排水装置の変形例を示す破断斜視図。
【図１０】本発明の実施例４に係る床排水装置の一部を破断した側面図。
【図１１】本発明の実施例４に係る床排水装置の要部を示す平面図。
【図１２】（ａ）は本発明の実施例４係る床排水装置に適用した昇降手段の動作の一例を示す断面図、（ｂ）はその動作の他例を示す断面図。
【符号の説明】
【００６４】
１：床排水装置
２：床排水室
３：開口部
４：床部材
５：透水床板
６：集水部材
７：排水管
８：蓋体
１３：床排水装置
１４：昇降手段
２２：床排水装置
２３：集水底材
２４：排水口
２５：給水部
２６：底材昇降手段
３０：床下
４０：床面
９０：移動台車
【図１】
2007092512.tif 000003
【図２】
2007092512.tif 000004
【図３】
2007092512.tif 000005
【図４】
2007092512.tif 000006
【図５】
2007092512.tif 000007
【図６】
2007092512.tif 000008
【図７】
2007092512.tif 000009
【図８】
2007092512.tif 000010
【図９】
2007092512.tif 000011
【図１０】
2007092512.tif 000012
【図１１】
2007092512.tif 000013
【図１２】
2007092512.tif 000014